(57)【要約】      （修正有）【課題】予め設定された時間帯において、１回目の呼出操作がなされたときは居室親機側での呼出報知はおこなわず、２回目以降であれば呼出報知がおこなわれるよう構成し、夜間等の時間帯であっても重要な呼出である場合には呼出報知をおこなうことが可能なインターホン装置を提供する。【解決手段】インターホン装置において、居室親機は、時刻情報を取得するための時計機能と、呼び出しを制限するための時間帯を設定し記憶する時間帯記憶部と、待ち受け状態において呼出ボタンが操作されたことを検出したとき時間帯記憶部に記憶された時間帯であるかを比較し、設定時間帯以外であれば、通常呼出として呼出音を報音させ、設定時間帯であれば、呼出音を報音しないよう制御する制御部とを備える。また、制御部は、その後、所定時間内に予め定められた操作がおこなわれた場合は呼出音を報音させる制御をおこなう。【選択図】図１
2010200067.tif 000002
【特許請求の範囲】
【請求項１】
来訪者が居住者を呼び出すための呼出ボタン、前記居住者と通話するためのマイク及びスピーカを有する玄関子機と、前記玄関子機に接続され、前記呼出ボタンの操作を検出して呼出音を報音すると共に前記来訪者と通話するための通話部を有する居室親機と、から構成されるインターホン装置であって、
前記居室親機は、時刻情報を取得するための時計機能と、呼び出しを制限するための時間帯を設定し記憶する時間帯記憶部と、待ち受け状態において前記呼出ボタンが操作されたことを検出したとき前記時間帯記憶部に記憶された時間帯であるかを比較し、前記設定時間帯以外であれば、通常呼出として呼出音を報音させ、前記設定時間帯であれば、呼出音を報音しないよう制御する制御部とを備えたことを特徴とするインターホン装置。
【請求項２】
前記制御部は、前記設定時間帯に呼出ボタンが操作され、その後、所定時間内に予め定められた操作をおこなった場合に前記呼出音を報音させる制御をおこなうことを特徴とする請求項１記載のインターホン装置。
【請求項３】
前記制御部は、前記設定時間帯に呼出ボタンが操作されたとき、予め定められたメッセージを前記玄関子機に送信して報知する制御をおこなうことを特徴とする請求項１又は請求項２記載のインターホン装置。
【請求項４】
前記玄関子機は、前記来訪者を撮像するためのカメラを有し、
前記制御部は、前記設定時間帯に呼出ボタンが操作されたとき、前記カメラを起動させて取得した映像をモニタに出画せず、映像記憶部に録画することを特徴とする請求項１乃至請求項３何れか１項記載のインターホン装置。
【発明の詳細な説明】
【技術分野】
【０００１】
本発明のインターホン装置は、予め設定した時間帯において玄関子機で呼出操作をしてもはじめは呼出報知をおこなわないようにして利便性を向上させたインターホン装置に関する。
【背景技術】
【０００２】
従来から、インターホン装置において、夜間等の呼び出しを報知されたくない時間帯では居住者自身が、居室親機の呼出音量をゼロに設定して呼出報知をしないようにしていた。
また、時間帯を設定して、その時間帯で呼び出しをおこなっても呼出がならない、若しくは小さい呼出音となるようにするものもあった（例えば、特許文献１）。
これにより、夜間において呼出報知がなされないので睡眠を妨害されることがなく使い勝手のよいものであった。
【先行技術文献】
【特許文献】
【０００３】
【特許文献１】特開2003-244333
【発明の開示】
【発明が解決しようとする課題】
【０００４】
しかしながら、従来のインターホン装置では、いちいち寝る前に呼出音量をゼロにするように操作しなければならないし、朝、起きたときに呼出音量をゼロにしたことを忘れてしまい、通常時間帯の呼び出しも拒否してしまう虞があった。
また、設定された時間帯において、全ての呼出を拒否して呼出報知しないようにしているので緊急時であっても呼び出すことができないものであった。
【０００５】
本発明はこの難点を解決するためになされたもので、予め設定された時間帯において、１回目の呼出操作がなされたときは居室親機側での呼出報知はおこなわず、２回目以降であれば呼出報知がおこなわれるよう構成して、夜間等の時間帯であっても重要な呼出である場合には呼出報知をおこなうことが可能なインターホン装置を提供する事を目的とする。
【課題を解決するための手段】
【０００６】
上記難点を解決するため、本発明によるインターホン装置は、来訪者が居住者を呼び出すための呼出ボタン、居住者と通話するためのマイク及びスピーカを有する玄関子機と、玄関子機に接続され、呼出ボタンの操作を検出して呼出音を報音すると共に来訪者と通話するための通話部を有する居室親機と、から構成されるインターホン装置であって、居室親機は、時刻情報を取得するための時計機能と、呼び出しを制限するための時間帯を設定し記憶する時間帯記憶部と、待ち受け状態において呼出ボタンが操作されたことを検出したとき時間帯記憶部に記憶された時間帯であるかを比較し、設定時間帯以外であれば、通常呼出として呼出音を報音させ、設定時間帯であれば、呼出音を報音しないよう制御する制御部とを備えたことを特徴とする。
【０００７】
請求項２の発明は、請求項１において、制御部は、設定時間帯に呼出ボタンが操作され、その後、所定時間内に予め定められた操作をおこなった場合に呼出音を報音させる制御をおこなうことを特徴とする
【０００８】
請求項３の発明は、請求項１又は請求項２において、制御部は、設定時間帯に呼出ボタンが操作されたとき、予め定められたメッセージを玄関子機に送信して報知する制御をおこなうことを特徴とする。
【０００９】
請求項４の発明は、請求項１乃至請求項３において、玄関子機は、来訪者を撮像するためのカメラを有し、制御部は、設定時間帯に呼出ボタンが操作されたとき、カメラを起動させて取得した映像をモニタに出画せず、映像記憶部に録画することを特徴とする。
【発明の効果】
【００１０】
請求項１の発明によれば、予め設定した時間帯であれば来訪者が来ても１回目の呼出操作では居室親機から呼出音が報音されず、夜間等に便利である。
請求項２の発明によれば、呼出ボタンを再度操作すれば、通常の呼出がなされるので、居住者の帰宅時等に便利である。
請求項３の発明によれば、緊急時以外は、呼び出しをしないよう来訪者に知らせることができる。
請求項４の発明によれば、夜間等に呼び出しをするような不審人物を録画することができる。また、居室親機のモニタへの表示はしないので居住者は来訪者がいることを気にする必要がない。
【発明を実施するための最良の形態】
【００１１】
以下、本発明のインターホン装置を適用した最良の実施の形態例について、図面を参照して説明する。
図１は、本発明のインターホン装置のブロック図である。
図１に示すように玄関子機１と居室親機２とが接続されており、玄関子機１には、来訪者が居住者を呼び出すための呼出ボタン１１、居住者と通話するためのマイク１２、スピーカ１３及び通話回路１４、来訪者を撮像するためのカメラ１５、カメラ１５で撮像した映像を処理する映像処理部１６、居室親機２と接続するための子機ＩＦ１７、玄関子機１の各部を制御する子機制御部１８とから構成されている。
【００１２】
また、居室親機２は、玄関子機からの呼び出しに対して応答するための通話ボタン２１、居住者が来訪者と通話するためのマイク２２、スピーカ２３及び通話回路２４、カメラ１５で撮像された映像を出画するモニタ２５、モニタ２５に出画するために映像を処理する映像処理部２６、呼出規制する時間帯を記憶する時間帯記憶部２７、カメラ１５で撮像された映像を録画する映像記憶部２８、時間を計時する時計２９、玄関子機１と接続するための親機ＩＦ３０、居室親機２の各部を制御する親機制御部３１とから構成されている。
このように構成されたインターホン装置について、以下、動作を説明する。
【００１３】
まず、時間帯記憶部２７には、図示しない操作部の操作によって呼出規制する時間帯を予め設定する。本実施例では22時〜6時を呼出規制時間帯として設定し、当該時間帯が時間帯記憶部２７に記憶されているものとする。
このような状態において、まず、呼出規制時間帯以外である場合について説明する。
例えば、16時に来訪者がきたとすると、来訪者は居住者を呼び出すために呼出ボタン１１を操作する。これを検出した子機制御部１８は、呼出信号を生成して子機ＩＦ１７を介して居室親機２に送信する。
【００１４】
居室親機２では当該呼出信号を親機ＩＦ３０を介して親機制御部３１で受信し、時間帯記憶部２７の情報と時計２９の現在時刻とを比較する。この場合、呼出規制時間帯ではないため、通常の動作となり呼出音をスピーカ２３から報音させると共に、カメラ１５を起動し、撮像した来訪者の映像を居室親機２のモニタ２５で出画する（詳述せず）。
これを確認した居住者が通話ボタン２１を操作して通話モードに移行すると、居室親機２のマイク２２、スピーカ２３と玄関子機１のマイク１２、スピーカ１３との間で通話路を形成し、通話をおこなう。
【００１５】
次に、呼出規制時間帯である23時に呼出ボタン１１を押下した場合について説明する。
この場合は、上記実施例と同様、呼出信号が居室親機２の親機制御部３１にて検出される。そして、時間帯記憶部２７の情報と時計２９の現在時刻とを比較するが、今回は呼出規制時間帯であるため、親機制御部３１は、呼出音の報音を規制し、呼出音をならさないように制御する。
【００１６】
このとき、カメラ１５を起動させて来訪者の映像を撮像する。映像処理部１６で処理された映像は、親機制御部３１の制御によりモニタを起動させず、映像記憶部２８に記憶される。
このようにして、呼出規制時間帯では、呼出を報知させないようにする。このとき、親機制御部３１は、玄関子機１に対して予め定められた、例えば、音声メッセージを送信する。音声メッセージとしては“只今の時間帯は呼出されないように規制しています。急用の方は再度呼出ボタンを操作してください”といったメッセージが好適である。
この音声メッセージは、居室親機２から送信されて子機ＩＦ１７、通話回路１４を介してスピーカ１３から報音される。
【００１７】
これを確認した来訪者は、そのまま立ち去るか、急用であれば再度、呼出ボタン１１を操作する。１回目の操作から所定時間、例えば10秒以内であれば２回目の操作であることを検出する。子機制御部１８は、２回目の呼出信号を生成して、上記同様の経路で居室親機２の親機制御部３１にて受信される。親機制御部３１は、２回目呼出がなされたことを検出して、スピーカ２３から呼出音を報音すると共に、カメラ１５で撮像している映像をモニタ２５に出画する。
【００１８】
これにより、急用で訪れた人は、通常通りの呼び出しをおこなうことができる。
なお、本実施例においては、１回目呼出時にメッセージを玄関子機から報知していたが、報知しないようにすることができる。この場合には、夜間のいたずらがあっても呼出音がならないので居住者にとって便利である。また、メッセージが出さないことで再操作すると呼出音がでるということを知っている人（家族）だけが呼出報知させることができる。
【図面の簡単な説明】
【００１９】
【図１】本発明のインターホン装置のブロック図である。
【符号の説明】
【００２０】
１・・・玄関子機
１１・・・呼出ボタン
１２・・・マイク
１３・・・スピーカ
２・・・居室親機
２２・・・マイク
２３・・・スピーカ
２７・・・時間帯記憶部
３１・・・親機制御部（制御部）
【図１】
2010200067.tif 000003